(57)【要約】【課題】キャスターに於て、シャフト部の抜け止めを行うための係合部材をキャスター本体と一体化して成型することにより、コストダウンを図ると共に、組み立て作業効率を高める。【解決手段】本発明は左右の車輪３，３に夫々一体的に備えられたシャフト部６，６をキャスター本体２の軸受部８に夫々回転自在に遊嵌して成り、該シャフト部６，６の抜け止めのため、前記軸受部８を貫通して該シャフト部６，６に係合する係合部材１１を配設したキャスター１０に於て、前記係合部材１１に前記キャスター本体２と連結する連結部材１２を設けると共に、該係合部材１１と、該連結部材１２と、該キャスター本体２とを一体に成型して成るキャスターを提供する。【選択図】　図１
2004066860.tif 000002
【特許請求の範囲】
【請求項１】
左右の車輪に夫々一体的に備えられたシャフト部をキャスター本体の軸受部に夫々回転自在に遊嵌して成り、該シャフト部の抜け止めのため、前記軸受部を貫通して該シャフト部に係合する係合部材を配設したキャスターに於て、前記係合部材に前記キャスター本体と連結する連結部材を設けると共に、該係合部材と、該連結部材と、該キャスター本体とを一体に成型して成ることを特徴とするキャスター。
【請求項２】
上記連結部材は帯状に形成された帯状連結部材であることを特徴とする請求項１記載のキャスター。
【請求項３】
上記係合部材が上記シャフト部に係合した時、上記帯状連結部材を収納する収納部が上記キャスター本体に設けられていることを特徴とする請求項２記載のキャスター。
【請求項４】
上記連結部材は加力により折断する折断線が形成され、上記係合部材が上記シャフト部に係合した時、該折断線で折断するように構成されて成る請求項１記載のキャスター。
【請求項５】
上記連結部材は加力により折曲する折れ線が形成され、上記係合部材が上記シャフト部に係合した時、該折れ線で折曲するように構成されて成る請求項１記載のキャスター。
【発明の詳細な説明】
【０００１】
【発明の属する技術分野】
この発明は、キャスターに関するものであり、特に、椅子の脚部等に取付けられるキャスターであって、左右の車輪に夫々一体的に備えられたシャフト部を夫々軸受部に回転自在に遊嵌する双輪タイプのキャスターに於て、前記シャフト部の抜け止めに用いられる係合部材をキャスター本体と一体に成型して組み立て性の向上と、コストダウンを図ったキャスターに関するものである。
【０００２】
【従来の技術及び発明が解決しようとする課題】
従来の此種キャスターを図６乃至図１０に従って説明する。図６及び図７に於て、１は椅子等の脚部に取付けられ、椅子等を移動させるために用いられるキャスターを示し、該キャスター１はナイロン６６等の材料を用いて射出成型にて成型され、キャスター本体２の両側部に左右の車輪３，３が回転自在に設けられ、該キャスター本体２の上部には椅子の脚部（図示せず）等に取付けるための螺子部４が配設されている。
【０００３】
そして、図８に示す如く、前記車輪３，３は該車輪３，３の本体部５，５が断面視略皿形状に形成され、該本体部５，５の内底部中心部には軸方向に延びる円筒形状のシャフト部６，６が突設して一体的に形成され、該本体部５，５の底部外側部は外側に湾曲する円弧状に形成され、該本体部５，５の外周内側面には軸方向に延びる複数のリブ７，７…が形成されている。
【０００４】
更に、前記シャフト部６，６は前記キャスター本体２の中心部に形成された軸受部８に回転自在に遊嵌され、該シャフト部６，６は該シャフト部６，６の先端近傍外周に形成された環状溝６ａ，６ａに、前記軸受部８の下部に開穿された貫通孔８ａ，８ａを貫通して取付けられる係合部材９の先端部９ａ，９ａが係合して、該シャフト部６，６の抜け止めがなされている。尚、該係合部材９は前記シャフト部６，６に係合した後、超音波溶接によって、前記軸受部８に固着される。
【０００５】
図９及び図１０は分解された状態の前記キャスター本体２を示し、該キャスター本体２はその上部外周部にカバー２ａが設けられ、該カバー２ａの中心部に前記軸受部８が配設され、図１０（ａ）に示す如く、該軸受部８は該軸受部８の軸方向中央部の外周上半部から放射方向に延びて前記カバー２ａに達する鉛直方向の支持板２ｂと、該軸受部８の外周下部から右方向及び軸方向に延びて前記カバー２ａに達する水平方向の支持板２ｃと、該軸受部８の略外周上部から左斜め上方及び軸方向に延びて前記カバー２ａに達する支持板２ｄと、該軸受部８の略外周上部から左方向及び軸方向に延びて前記カバー２ａに達する水平方向の支持板２ｅとで支持されており、図１０（ｂ）に示す如く該軸受部８の下部に２個の前記貫通孔８ａ，８ａが開穿され、該貫通孔８ａ，８ａに図１０（ａ）に示す如く前記係合部材９が貫通されて前述の係合が行われる。
【０００６】
然しながら、前記キャスター１は前記係合部材９と前記キャスター本体２とが別部品として成型されるため、コスト高となると共に、組み立て作業効率も悪いという欠点があった。
【０００７】
そこで、キャスターに於て、シャフト部の抜け止めを行うための係合部材をキャスター本体と一体化して成型することにより、コストダウンを図ると共に、組み立て作業効率を高めるために解決すべき技術的課題が生じてくるのであり、本発明はこの課題を解決することを目的とする。
【０００８】
【課題を解決するための手段】
本発明は上記目的を達成するために提案されたものであり、左右の車輪に夫々一体的に備えられたシャフト部をキャスター本体の軸受部に夫々回転自在に遊嵌して成り、該シャフト部の抜け止めのため、前記軸受部を貫通して該シャフト部に係合する係合部材を配設したキャスターに於て、前記係合部材に前記キャスター本体と連結する連結部材を設けると共に、該係合部材と、該連結部材と、該キャスター本体とを一体に成型して成るキャスター、
及び、上記連結部材は帯状に形成された帯状連結部材であるキャスター、
及び、上記係合部材が上記シャフト部に係合した時、上記帯状連結部材を収納する収納部が上記キャスター本体に設けられているキャスター、
及び、上記連結部材は加力により折断する折断線が形成され、上記係合部材が上記シャフト部に係合した時、該折断線で折断するように構成されて成るキャスター、
並びに、上記連結部材は加力により折曲する折れ線が形成され、上記係合部材が上記シャフト部に係合した時、該折れ線で折曲するように構成されて成るキャスターを提供するものである。
【０００９】
【発明の実施の形態】
以下、本発明の一実施の形態を図１乃至図５に従って詳述する。尚、説明の都合上、従来例と同一構成部分については同一符号を付してその説明を省略する。
【００１０】
図１及び図２に於て、１０はキャスターであり、該キャスター１０は従来例の係合部材（図８に於て９）に代えて、係合部材１１と、該係合部材１１をキャスター本体２に連結する連結部材１２とを設けたものであり、該係合部材１１と、該連結部材１２は該キャスター本体２と一体に成型される。更に、詳細には前記連結部材１２は前記キャスター本体２の軸受部８の下部から前記カバー２ａ方向に水平に延びる前記支持板２ｃに連結される。
【００１１】
従って、成型後の該係合部材１１と該連結部材１２は図２（ａ）及び（ｂ）に示す如く前記支持板２ｃから下方に突出し、該連結部材１２の先端に前記係合部材１１が前記支持板２ｃと略平行に固着されている。
【００１２】
而して、該係合部材１１を前記連結部材１２の基端を中心にして図２（ａ）に於て時計周りに略１８０度回転させると図１（ｂ）に示す如く、該係合部材１１の２つの係合突片１１ａ，１１ａが前記軸受部８に開穿された貫通孔８ａ，８ａを貫通して、前記シャフト部６，６に形成された環状溝６ａ，６ａに係合し、該係合部材１１によって該シャフト部６，６の抜け止めがなされる。
【００１３】
この時、該係合部材１１は前記連結部材１２によって連結されているため、該係合部材１１を回転させると該連結部材１２の案内によって該係合部材１１の係合突片１１ａ，１１ａは前記貫通孔８ａ，８ａを貫通して前記環状溝６ａ，６ａに導かれ、前記シャフト部６，６の抜け止めを行うことができる。
【００１４】
斯くして、前記キャスター１０は係合部材１１を連結部材１２を介してキャスター本体２と一体化して成型することにより、組み立て作業効率を高めることができると共に、コストダウンを図ることが可能となる。
【００１５】
図３は前記連結部材（図２に於て１２）に代えて、細巾の帯状に形成された帯状連結部材１３を設けたものであり、更に、該帯状連結部材１３に合わせて、該帯状連結部材１３を収納する収納部１４を前記キャスター本体２の支持板２ｃに開穿し、且つ、前記係合部材（図２に於て１１）と略同形状の係合部材１５の頭部１５ａが前記支持板２ｃの下側面から突出しないように該支持板２ｃに収納穴１６が形成されている。
【００１６】
従って、前記帯状連結部材１３は前記連結部材（図２に於て１２）と同様の効果も期待できると共に、作業性が更に向上し、又、前記係合部材１５が係合状態となった時、前記帯状連結部材１３は前記収納部１４内に収納され、且つ、前記係合部材１５は前記収納穴１６内に収納されて、該係合部材１５の頭部の突出がなく、該帯状連結部材１３及び係合部材１５がキャスターの走行上の障害にならないため、キャスターは円滑な走行が可能となる。
【００１７】
図４は前記連結部材（図２に於て１２）に代えて加力により折断する折断線ａが形成された細巾の連結部材１７を設けたものであり、該連結部材１７は係合部材１１が係合状態となる時、加力を受けて前記折断線ａで折断し、該係合部材１１が前記支持板２ｃと分離するように構成されている。そして、該連結部材１７に於ても前記連結部材（図２に於て１２）と同様の効果が期待できると共に、組み立て作業性が更に向上する。
【００１８】
図５は前記連結部材（図２に於て１２）に代えて加力により折曲する折れ線ｂ，ｂが形成された細巾の連結部材１８を設けたものであり、該連結部材１８は係合部材１１が係合状態となる時、加力を受けて前記折れ線ｂ，ｂで折曲するように構成されている。そして、該連結部材１８に於ても前記連結部材（図２に於て１２）と同様の効果が期待できると共に、組み立て作業性が更に向上する。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態に詳述したように、請求項１記載の発明は、左右の車輪に夫々一体的に備えられたシャフト部をキャスター本体の軸受部に夫々回転自在に遊嵌して成り、シャフト部の抜け止めのための係合部材を配設したキャスターに於て、前記係合部材にキャスター本体と連結する連結部材を設け、該係合部材と、該連結部材と、該キャスター本体とは一体に成型されているので、コストダウンを図ることができると共に、前記連結部材の案内によって係合部材を容易に係合できるため、組み立て作業効率を高めることが可能となる
又、請求項２記載の発明は、上記連結部材は帯状に形成された帯状連結部材であるので、請求項１記載の発明の効果に加え、組み立て作業性が更に向上する。
【００２１】
更に、請求項３記載の発明は、上記係合部材が上記シャフト部に係合した時、上記帯状連結部材を収納する収納部が上記キャスター本体に設けられているため、請求項２記載の発明の効果に加え、該収納部によって該連結部材を収納し、該連結部材がキャスターの走行上の障害とならないようにすることが可能である。
【００２２】
更に又、請求項４記載の発明は、上記連結部材は加力により折断する折断線が形成され、上記係合部材が上記シャフト部に係合した時、該折断線で折断するように構成されているので、請求項１記載の発明の効果に加え、更に組み立て作業性が向上する。
【００２３】
更に、請求項５記載の発明は、上記連結部材は加力により折曲する折れ線が形成され、上記係合部材が上記シャフト部に係合した時、該折れ線で折曲するように構成されているため、請求項４記載の発明の効果と同様の効果が期待できる等、正に著大なる効果を奏する発明である。
【図面の簡単な説明】
【図１】（ａ）本発明の一実施の形態を示し、係合部材を係合する直前のキャスターの正面縦断面図。
（ｂ）本発明の一実施の形態を示し、係合部材を係合した後のキャスターの正面縦断面図。
【図２】（ａ）本発明の一実施の形態を示し、係合部材を係合する前のキャスター本体の側面図。
（ｂ）本発明の一実施の形態を示し、係合部材を係合する前のキャスター本体の底面図。
【図３】（ａ）本発明の他の実施の形態を示し、係合部材を係合する前の係合部材近傍の側面縦断面図。
（ｂ）本発明の他の実施の形態を示し、係合部材を係合した後の係合部材近傍の側面縦断面図。
【図４】（ａ）本発明の他の実施の形態を示し、折断線が形成された係合部材を係合する前の係合部材近傍の側面縦断面図。
（ｂ）本発明の他の実施の形態を示し、係合部材が折断線で折断した状態を示す係合部材近傍の側面縦断面図。
【図５】（ａ）本発明の他の実施の形態を示し、折れ線を備えた係合部材を係合する前の係合部材近傍の側面縦断面図。
（ｂ）本発明の他の実施の形態を示し、係合部材が折れ線で折曲した状態を示す係合部材近傍の側面縦断面図。
【図６】従来例を示し、キャスターの斜視図。
【図７】従来例を示し、キャスターの平面図。
【図８】図７のＡ−Ａ線縦断面図。
【図９】従来例を示し、キャスター本体の斜視図。
【図１０】（ａ）従来例を示し、係合部材を係合する前のキャスター本体の側面図。
（ｂ）従来例を示し、係合部材を係合する前のキャスター本体の底面図。
【符号の説明】
２　　　　　　　　キャスター本体
３　　　　　　　　車輪
６　　　　　　　　螺子部
８　　　　　　　　軸受部
１０　　　　　　　　キャスター
１１　　　　　　　　係合部材
１２，１７，１８　　連結部材
１３　　　　　　　　帯状連結部材
１４　　　　　　　　収納部
ａ　　　　　　　　折断線
ｂ　　　　　　　　折れ線
【図１】
2004066860.tif 000003
【図２】
2004066860.tif 000004
【図３】
2004066860.tif 000005
【図４】
2004066860.tif 000006
【図５】
2004066860.tif 000007
【図６】
2004066860.tif 000008
【図７】
2004066860.tif 000009
【図８】
2004066860.tif 000010
【図９】
2004066860.tif 000011
【図１０】
2004066860.tif 000012